(57)【要約】  【課題】  組み立て、分離並びに保守点検が容易な回転ドラムを備えた回転ドラム式洗濯機を提供する。  【解決手段】  外箱１内に弾性的に支持された水槽４に複筒状に回転ドラム６を収容するとともに回転ドラム６を水槽４の背壁中央部を貫通し該背壁部に設けた軸受２８、２９に回転可能に支持された回転軸１０で支持して駆動モータ７の駆動力により回転させるようにした回転ドラム式洗濯機において、回転軸１０の水槽４内側に臨んだ先端にドラムフランジ２４をボルト２５で着脱可能に固定するとともにこのドラムフランジ２４に回転ドラム６の背壁６ｂをボルト２６で着脱可能に固定し、かつ、これらボルト２５、２６を回転ドラム６の背壁６ｂの内部側に設けた隠し板３４で覆うようにした回転ドラム式洗濯機。【選択図】      図４
2005034673.tif 000002
【特許請求の範囲】
【請求項１】
外箱内に弾性的に支持された水槽に複筒状に回転ドラムを収容するとともに、前記回転ドラムを前記水槽の背壁中央部を貫通して該背壁部に設けた軸受に回転可能に支持された回転軸で支持し駆動モータの駆動力により回転させるようにした回転ドラム式洗濯機において、
前記回転軸はステンレス材で形成されている要素１と、鋼材で形成されている要素２とから構成されており、
該要素１は、水槽内に露出する部分を有し、
該要素２は、水槽内に露出する部分を有さないことを特徴とする回転ドラム式洗濯機。
【請求項２】
外箱内に弾性的に支持された水槽に複筒状に回転ドラムを収容するとともに、前記回転ドラムを前記水槽の背壁中央部を貫通して該背壁部に設けた軸受に回転可能に支持された回転軸で支持し駆動モータの駆動力により回転させるようにした回転ドラム式洗濯機において、
前記回転軸はステンレス材で形成されている要素１と、鋼材で形成されている要素２とから構成されており、
該要素１は、ドラムフランジに固定される部分を有し、
該要素２は、ドラムフランジに固定される部分を有さないことを特徴とする回転ドラム式洗濯機。
【請求項３】
前記要素１と前記要素２は互いに止まり嵌めの状態で嵌着されていることを特徴とする請求項１または請求項２に記載の回転ドラム式洗濯機。
【発明の詳細な説明】
【技術分野】
【０００１】
本発明は水平に配置された回転ドラムを備え洗濯を行う回転ドラム式洗濯機に関する。
【背景技術】
【０００２】
従来の回転ドラム式洗濯機は、図１乃至図３に示すような構造を成している。図１、図２は、回転ドラム式洗濯機の正面断面図及び側面断面図である。図３は回転ドラム６と回転軸１０との結合部の詳細図である。
【０００３】
これらの図によると、外箱１に取り付けられた洗濯物投入口２は蓋体３で開閉され、外箱１内に防振機構５で弾性的に支持された水槽４が設けられている。回転ドラム６は水槽４の背壁を水平に貫挿した回転軸１０を中心に回転するとともに外周壁全体に洗濯時の給水、脱水時の排水及び乾燥時の温風を通過させるための多数の小孔（図示せず）が設けられ、内壁に３個の撹拌翼６ａが等間隔に設けられている。また回転ドラム６は駆動モータ７の駆動によりベルト８、プーリー９及び回転軸１０を介して回転されるようになっている。
【０００４】
水槽４の上部には給水用ホース１１が給水弁１２を介して給水管１３に接続され、給水弁１２が開かれると給水管１３、洗剤ケース１４を通して水槽４に給水されるようになっており、水槽４の下部には水槽４の底面より導出された排水ダクト１５の経路途中にフィルタケース１６が設けられ、糸屑やゴミを除去するフィルタ１７を備えている。
【０００５】
フィルタケース１６には洗濯水を水槽４内に循環させる循環ポンプ１９を備えた循環パイプ１８と水槽４内の洗濯水を排水する排水ポンプ２１を備えた排水パイプ２０とが接続され、水槽４に溜められた洗濯水を循環させるときには、水槽４内の洗濯水は排水パイプ２０からフィルタケース１６内のフィルタ１７を通り、ゴミ等が除去された後、循環ポンプ１９により水槽４内に戻される。又、水槽４内の洗濯水を排水するときには、フィルタケース１６より分岐した排水ポンプ２１から洗濯水が排水パイプ２０を通り機外に排水されるようになっている。
【０００６】
また、乾燥機能を有する場合外箱１内には乾燥ユニット２３が設けられ乾燥ユニット２３内部には送風ファン、ヒータ（図示せず）が備えられている。水槽４の側面と連通した排気ダクト２２ａから乾燥ユニット２３に取り入れられた水槽４内の排気は乾燥されて送風ダクト２２ｂを通して水槽４内に送り込まれ洗濯物の乾燥が行われるようになっている。
【０００７】
次に回転ドラム６と回転軸１０との結合部の詳細を図３を参照して説明する。回転ドラム６は駆動モータ７の駆動によりプーリー９及び回転軸１０を介して回転駆動される構造となっているが、回転ドラム６の背面にはアルミダイカストで形成された放射アームを持つドラムフランジ２４が嵌合され、ドラムフランジ２４の外周部をボルト３７で回転ドラム６に固定している。
【０００８】
上記回転軸１０はドラムフランジ２４に鋳込むようにドラムフランジ２４と一体的に形成されたものであり、外周部を水槽４にボルト３８で固定された背壁板４ａの背面中央に設けた軸受２８、２９に貫挿支持されるとともに他端に前述のプーリー９を固着している。
【発明の開示】
【発明が解決しようとする課題】
【０００９】
従来の回転ドラム式洗濯機は上述のように構成されているが、回転ドラム６は水槽４の内壁と接近してボルト３７で固定されているため回転ドラム６とドラムフランジ２４との結合、分離が困難であるとともに、ドラムフランジ２４と回転軸１０とは一体的に成形されているため回転ドラム６の組み立て、或いは保守点検などの際には回転軸１０毎水槽４から着脱するようになる。
【００１０】
このため回転ドラム６の組み立て、或いは保守点検が繁雑であるとともに、軸受２８，２９と回転軸１０との間の嵌合状態は遊合にする必要があり隙間が生じるので、軸受２８，２９と回転軸１０との間に同軸度のずれやがたつきが発生し易く、軸受２８，２９や回転軸１０を損傷したり或いは衣類を高速で遠心脱水する際に回転ドラム６に大きな振れを引き起こす問題があった。
【００１１】
また、ドラムフランジ２４と回転軸１０とは強度と防錆の必要性からステンレス鋼などを材質として鋳造などの一体成型により形成されており形状が複雑なため製造コスト増大の要因となっていた。また水槽４の背壁板４ａには軸受２８，２９のハウジング部分が一体的に成形されており、重量が大きくなるとともに形状が複雑なため製造コスト増大の要因となっていた。
【００１２】
本発明は、回転ドラムの組立および保守点検を容易にするとともに回転ドラムと回転軸との同軸精度を向上させ、回転ドラム回転時にがたつきのない回転ドラム式洗濯機を提供することを目的とする。
【００１３】
また本発明は製造コストの低い回転ドラム式洗濯機を提供することを目的とする。
【課題を解決するための手段】
【００１４】
上記目的を達成するために本発明は、外箱内に弾性的に支持された水槽に複筒状に回転ドラムを収容するとともに、前記回転ドラムを前記水槽の背壁中央部を貫通して該背壁部に設けた軸受に回転可能に支持された回転軸で支持し駆動モータの駆動力により回転させるようにした回転ドラム式洗濯機において、前記回転軸はステンレス材で形成されている要素１と、鋼材で形成されている要素２とから構成されており、該要素１は、水槽内に露出する部分を有し、該要素２は、水槽内に露出する部分を有さない構成としている。
【００１５】
また本発明は、外箱内に弾性的に支持された水槽に複筒状に回転ドラムを収容するとともに、前記回転ドラムを前記水槽の背壁中央部を貫通して該背壁部に設けた軸受に回転可能に支持された回転軸で支持し駆動モータの駆動力により回転させるようにした回転ドラム式洗濯機において、前記回転軸はステンレス材で形成されている要素１と、鋼材で形成されている要素２とから構成されており、該要素１は、ドラムフランジに固定される部分を有し、該要素２は、ドラムフランジに固定される部分を有さない構成としている。
【００１６】
また本発明は、前記要素１と前記要素２は互いに止まり嵌めの状態で嵌着されている構成としている。
【発明の効果】
【００１７】
本発明によると、回転軸を鋼材で形成された部分とステンレス材で形成された部分とで構成しているため、全体をステンレス材で構成した従来の回転軸に比べ、安価に構成できる。
【発明を実施するための最良の形態】
【００１８】
以下、本発明の実施の形態を図に従って詳細に説明する。従来例と同じ部材については同一の符号を付している。図４は第１の実施形態を示す回転軸１０と回転ドラム６との結合部を示す断面図である。同図において、回転ドラム６の背壁６ｂにはドラムフランジ２４がボルト２５で固定されている。
【００１９】
そして、ドラムフランジ２４の中央部には、水槽４の背壁に設けた開口部４ｃを貫通して水槽４内に先端部を挿入された回転軸１０の先端がボルト２６で連結固定されている。本実施形態では、ボルト２６は回転ドラム６の背壁６ｂの中央に設けた開口部６ｃを通して回転ドラム６の内側に臨んでいる。
【００２０】
回転軸１０は軸方向前後に配置された軸受２８、２９で支えられ、回転ドラム６と反対側の端部にボルト３０でプーリー９を固着している。軸受２８、２９は水槽４の背壁に設けた枠板３１、３２の中央に形成した軸受受部３１ｂ、３２ｂに嵌着されている。
【００２１】
この枠板３１、３２は夫々鋼板を中央に貫通口３１ａ、３２ａを有する皿状体に板金成形などによって形成し、この貫通口３１ａ、３２ａの外周に軸受受部３１ｂ、３２ｂを形成することにより構成されている。そして、これら枠板３１、３２は相互に開口面を閉塞するように重ね合わされた状態で外周部をボルト３３ａ、３３ｂで固定されている。またボルト３３ａによって枠板３１、３２を固定するとともに水槽４の背壁に設けた取付ボス４ｂに固定されている。
【００２２】
同図において、回転ドラム６の背壁６ｂにボルト３５で固定され、プラスチックの成型品からなる隠し板３４（遮蔽部材）によってボルト２５、２６を覆って隠している。また水槽４と回転軸１０との間に圧入されたオイルシール２７によって、水槽４内の洗濯水をシールする構造となっている。
【００２３】
このような構成によると、回転ドラム６とドラムフランジ２４とは前面から固定されているので簡単に着脱することができ保守点検が容易となるとともに隠し板３４によってボルト２５，２６を覆っているので洗濯物を傷つけることがない。
【００２４】
また、ドラムフランジ２４は小型化可能であり、ドラムフランジ２４と回転軸１０とは分割されているので軽量化が図られるとともに加工が容易になり製造コストを削減することができる。また、ドラムフランジ２４と回転軸１０とを分割しているので回転軸１０は軸受２８に圧入しても保守点検に支障はなく、回転ドラム６の回転精度を向上させることができるようになる。
【００２５】
さらに、水槽の背壁板４ａ面と軸受固定部（枠板３１，３２）とを分割し、枠板３１，３２を板材で形成しているので軽量化が図れるとともに加工が容易となる。また、軸受固定部分は水に直接触れないので防錆が厳格に必要ではなく材質を自由に選択でき、安価な鋼板などを使用すると製造コストを削減することができる。
【００２６】
次に図５は回転ドラム６と回転軸１０との結合に関する本発明の第２の実施形態を示す要部側面断面図である。本実施形態は、隠し板３４はステンレス鋼板を皿状に形成したものであり、回転ドラム６の背壁の開口部６ｃに嵌着されている。このような構成によると、回転ドラム６の前面開口部を加工する際に切り抜かれる廃材を利用することができ廃材料を減らしリサイクル化を促進するとともに材料費を削減できるメリットがある。
【００２７】
次に図６は本発明の第３の実施形態を示す要部側面断面図である。本実施形態は、第１、第２の実施形態で設けていた回転ドラム６の開口６ｃを設けず、回転軸１０の先端部をドラムフランジ２４を介して回転ドラム６の背壁６ｂにボルト２６で固定している。そして、回転ドラム６の内部側に露出したボルト２６、２６の頭部のみを隠し部材３６で覆っており、第１、第２の実施形態と同様の効果を得ることができる。
【００２８】
次に図７は本発明の第４の実施形態を示す要部側面断面図である。本実施形態の全体的な構成は前記第１の実施形態と同一である。第１の実施形態と異なる点は、隠し板３４の表面に図８に示すような、凹部３４ａと凸部３４ｂとを設けた点である。このような構成によると洗濯物は回転ドラム６の回転に従って凹凸部３４ａ及び３４ｂにより干渉され、回転ドラム６内での洗濯物自身の落下による衝撃力に加えて、もみ洗いに相当する機械力が付与されることになり、洗浄性能が向上する。
【００２９】
次に図９は本発明の第５の実施形態を示す要部側面断面図である。本実施形態の全体的な構成は前記第１の実施形態と同一である。この実施形態において第１の実施形態と異なる点は、回転軸１０を分割し、水槽４内に露出する前部１０ｂをステンレス材で形成し水槽４内に露出しない本体部１０ａを鋼材で形成して前部１０ｂを本体部１０ａの前端部に止まり嵌めの状態で嵌着して構成した点である。
【００３０】
そして、この実施形態では、回転軸１０の本体部１０ａを軸受２８、２９で回転可能に支持するとともに前部１０ｂをボルト２６、２６でドラムフランジ２４に固定している。回転軸１０を鋼材で形成された部分とステンレス材で形成された部分とで構成しているため、全体をステンレス材で構成した従来の回転軸に比べ、安価に構成できる。
【００３１】
次に図１０は本発明の第６の実施形態における水槽４の背壁板４ａの正面概略図を示している。又、図１１及び図１２は図１０におけるＡ−Ａ断面図及びＢ−Ｂ断面図である。
【００３２】
水槽４の背壁板４ａはプラスチックス材を一体成型加工することにより形成されたものであり、開口部４ｃを形成する円形リブ４１を中心に円形リブ４２、４３、４４を順次同心円上に形成している。そして、特に円形リブ４３、４４の間には円周方向に略等間隔に１６個の放射状リブ４５を備え、これら各放射状リブ４５間には交互に水槽４の内側と外側に開放面を持つセクター部４６、４７を形成している。
【００３３】
また同図に示すように、水槽４の内側に開放面を持つセクター部４６，４７の中央には更に背壁の径方向に伸びている補強リブ４８を備え、この補強リブ４８と円形リブ４３との交点部に上記取付ボス４ｂを形成している。このような構成によって水槽４の背壁板４ａを充分な強度を維持しながら軽量化することが可能となる。
【図面の簡単な説明】
【００３４】
【図１】回転ドラム式洗濯機の正面断面図である。
【図２】回転ドラム式洗濯機の側面断面図である。
【図３】従来の回転ドラム式洗濯機の要部側面断面図である。
【図４】本発明の第１の実施形態に係る回転ドラム式洗濯機の要部の側面拡大断面図である。
【図５】本発明の第２の実施形態に係る回転ドラム式洗濯機の要部の側面拡大断面図である。
【図６】本発明の第３の実施形態に係る回転ドラム式洗濯機の要部の側面拡大断面図である。
【図７】本発明の第４の実施形態に係る回転ドラム式洗濯機の要部の側面拡大断面図である。
【図８】本発明の第４の実施形態に係る回転ドラム式洗濯機に備えられている隠し板の斜視図である。
【図９】本発明の第５の実施形態に係る回転ドラム式洗濯機の要部の側面拡大断面図である。
【図１０】本発明の第６の実施形態に係る回転ドラム洗濯機に備えられている水槽の背壁の正面図である。
【図１１】図１０のＡ−Ａ断面図である。
【図１２】図１０のＢ−Ｂ断面図である。
【符号の説明】
【００３５】
１    外箱
４    水槽
４ａ  背壁板
６    回転ドラム
１０    回転軸
２４    ドラムフランジ
２５    ボルト
２６    ボルト
２８    軸受
２９    軸受
３１    枠体
３２    枠体
３４    隠し板
３４ａ  凹部
３４ｂ  凸部
３６    隠し部材
４１，４２，４３，４４  円形リブ
４５    放射状リブ
４６，４７  セクター部
【図１】
2005034673.tif 000003
【図２】
2005034673.tif 000004
【図３】
2005034673.tif 000005
【図４】
2005034673.tif 000006
【図５】
2005034673.tif 000007
【図６】
2005034673.tif 000008
【図７】
2005034673.tif 000009
【図８】
2005034673.tif 000010
【図９】
2005034673.tif 000011
【図１０】
2005034673.tif 000012
【図１１】
2005034673.tif 000013
【図１２】
2005034673.tif 000014